(57)【要約】【課題】玄関ドアやそれに隣接する袖さらにはそれらを含む玄関構造等について、製作コストの高騰を招くことなくバリエーションに富んだものとする。【解決手段】玄関構造１１は、ドアユニット１２及びそれに隣接して設けられる袖ユニット１３，１４を備えている。ドアユニット１２及び袖ユニット１３，１４は、いずれも建築モジュールの１／４寸法の幅をもつ面材４１，４２を複数並べて構成されている。そして、これら各面材４１，４２は面材枠体３５によって囲まれている。これにより、ドアユニット１２及び袖ユニット１３，１４の幅寸法は、同一幅寸法で形成された面材４１，４２の並設数によって決定される。その結果、同一面材４１，４２を使用して異なる幅寸法のドアユニット１２及び袖ユニット１３，１４を製作することができる。【選択図】図３
2007154609.tif 000002
【特許請求の範囲】
【請求項１】
面によってその前後空間を仕切る建物構造体であって、同一の高さ及び同一又は複数倍の幅の面材を幅方向に並設するとともに、隣接する面材同士が少なくとも前後方向へ相対移動することを規制するために当該面材同士を係合させる係合手段を備え、それら各面材を連結手段によって連結して構成した建物構造体。
【請求項２】
前記係合手段は、前記各面材の両側面に幅方向へ突出する突部及び同方向に凹む凹部であり、隣接する面材間で凹部に突部が挿入されて互いに係合されることにより前後方向への相対移動を規制した請求項１記載の建物構造体。
【請求項３】
前記突部及び凹部は、前記各面材の縦方向全域に延びる突条部及び溝部である請求項２記載の建物構造体。
【請求項４】
前記面材は、基準寸法単位である建築モジュールを等分した幅寸法となるように形成されている請求項１乃至３のいずれかに記載の建物構造体。
【請求項５】
前記複数の面材の上下左右を囲む矩形枠状の面材枠を備え、この面材枠によって前記連結手段を構成するとともに、前記面材枠によって建物構造体外縁を形成してなる請求項１乃至４のいずれかに記載の建物構造体。
【請求項６】
前記面材枠を構成しかつ前記面材と同一高さに形成された面材縦枠を有し、面材縦枠を前記面材と略同一幅寸法に形成した請求項５記載の建物構造体。
【請求項７】
前記各面材は、光透過部を有する面材，光透過部を有しない面材等の複数の種類によって構成されている請求項１乃至６のいずれかに記載の建物構造体。
【請求項８】
請求項１乃至７のいずれかに記載の建物構造体からなる玄関ドアユニットと、請求項１乃至７のいずれかに記載の建物構造体からなり前記玄関ドアユニットに隣接して設けられる袖ユニットとを備えた玄関構造。
【請求項９】
請求項１乃至７のいずれかに記載の建物構造体、又は請求項８記載の玄関構造が設けられた建物。
【発明の詳細な説明】
【技術分野】
【０００１】
本発明は、建具等の建物構造体、玄関構造及び建物に関する。
【背景技術】
【０００２】
住宅等の建物において例えば玄関構造に着目すると、玄関ドアの他、必要に応じて袖が設けられているのが一般的である（例えば、特許文献１参照）。玄関ドアについても片開きのものや両開きのものがあり、袖についても玄関ドアの一側にのみ設けられているものや玄関ドアの両側に設けられているものがある。さらには、玄関ドアや袖に採光用の小窓が設けられたものなども知られている。
【０００３】
これらのバリエーションの代表的なものとして、図５（ａ）の１枚の玄関ドア１０１のみで構成された片開き玄関構造１０２、図５（ｂ）の１枚の玄関ドア１０３と一側に設けられる袖１０４とで構成された片袖玄関構造１０５、図５（ｃ）の１枚の玄関ドア１０６と両側に設けられる袖１０７，１０８とで構成された両袖玄関構造１０９、図５（ｄ）の２枚の観音開き式の玄関ドア１１０，１１１で構成された両開き玄関構造１１２が挙げられる。
【０００４】
これら各玄関構造１０２，１０５，１０９，１１２は、全体としての幅寸法が異なっており、なお、それぞれの玄関ドア１０１，１０３，１０６，１１０，１１１の幅寸法は玄関構造の種別にかかわらず同一である。そして、玄関間口に合わせて適宜の玄関構造が設定される。
【０００５】
しかしながら、一の建物メーカが提供する玄関構造のサイズバリエーションは、上述のように例えば４パターン等をベースとした少数種が用意されているに過ぎず、幅寸法に応じて玄関構造の種類がほぼ決まってしまうことが多いのが現状である。現状よりもバリエーションを豊富に用意しておけば施主のニーズに適合した玄関構造を提供できるのであるが、そのようなニーズに対応しようとすれば同一幅寸法であっても多種多様なバリエーションを予め用意しておく必要が生じ、製作コストの高騰や在庫管理の複雑化などの問題が生じる。したがって、玄関ドアや袖の異なる幅寸法に対して多種多様のバリエーションを用意できないのが実情である。
【０００６】
なお、かかる事情は玄関構造において顕著であるが、面によって前後空間を仕切る建物構造体であれば、玄関構造の場合と同様の問題が存在するものと考えられる。
【特許文献１】特開平１０−３３１２５３号公報
【発明の開示】
【発明が解決しようとする課題】
【０００７】
本発明は、玄関ドアやそれに隣接する袖さらにはそれらを含む玄関構造に代表される、面によって前後空間を仕切る建物構造体について、製作コストの高騰を招くことなくバリエーションに富んだものとすることを主たる目的とするものである。
【課題を解決するための手段】
【０００８】
上記課題を解決するのに有効な手段につき、必要に応じて作用、効果、より踏み込んだ具体的手段等を示しつつ説明する。なお、理解を容易にするため、発明の実施の形態において対応する主要な構成を括弧書きで適宜示すが、この括弧書きで示した具体的構成に限定されない。
【０００９】
本発明は、面によってその前後空間を仕切る建物構造体（ドアユニット１２、袖ユニット１３，１４）であって、同一の高さ及び同一又は複数倍の幅の面材（目隠し面材４１、窓付き面材４２）を幅方向に並設するとともに、隣接する面材同士が少なくとも前後方向へ相対移動することを規制するために当該面材同士を係合させる係合手段（突条部４１ｂ，４２ｆ、溝部４１ｃ，４２ｅ）を備え、それら各面材を連結手段（面材枠体３５）によって連結して構成した建物構造体とした。
【００１０】
この発明によれば、隣接する面材同士が係合手段によって前後方向、すなわち面と垂直方向への移動が規制され、面材同士の位置決めがなされる。また、連結手段によって各面材が連結されることで、幅方向に複数の面材が並んで構成されたユニットとしての建物構造体となる。その結果、この建物構造体はそれより狭幅かつ互いに同一又は複数倍の関係となる幅の面材を並設することで構成でき、並設される面材の数を調整することで建物構造体自体の幅調整が可能である。したがって、幅寸法の異なる建物構造体を同一面材又はそれに比べて幅寸法が複数倍となるだけの面材を利用して製作することができ、製作コストの高騰を招くことなくバリエーションに富んだ建物構造体を提供することができる。なお、かかる効果を一層顕著なものとするには、面材同士における幅寸法を同一とする方がよい。
【００１１】
前記係合手段は、前記各面材の両側面に幅方向へ突出する突部（突条部４１ｂ，４２ｆ）及び同方向に凹む凹部（溝部４１ｃ，４２ｅ）であり、隣接する面材間で凹部に突部が挿入されて互いに係合されることにより前後方向への相対移動を規制したものであることが好ましい。これにより、係合手段自体の構成を面材にもたせることができ、別途特別な係合手段を用意する必要がなくなって、構成部材数の削減に役立つ。なお、突部の突出寸法は凹部の深さ寸法と同一かそれより短くするのが望ましい。
【００１２】
前記突部及び凹部は、前記各面材の縦方向全域に延びる突条部及び溝部とするのがよい。このように構成すれば面材を突条部及び溝部とともに押し出し成形によって形成することが可能となり、製作コストの一層の低減化に寄与し得るからである。
【００１３】
前記面材は、基準寸法単位である建築モジュール（メータモジュール）を等分（１／４）した幅寸法となるように形成されるのが好ましい。これにより、建築モジュールに適合させつつ建物構造体の幅寸法にバリエーションをもたせることができるためである。
【００１４】
これらの建物構造体は、各面材の上下左右を囲む矩形枠状の面材枠（面材枠体３５）を備え、この面材枠によって前記連結手段を構成するとともに、前記面材枠によって建物構造体外縁を形成するように構成することが好ましい。面材枠で囲むことにより係合手段によって係合関係にある面材同士が外れるのを防止できるからである。
【００１５】
ここで、前記面材枠の面材縦枠は前記面材と同一高さに形成されたものとし、その面材縦枠を前記面材と略同一幅寸法に形成することが好ましい。これにより、面材縦枠も面材の一部であるように建物構造体の面を形成することになり、美観が向上する。
【００１６】
また、前記各面材は、光透過部（ガラス板４２ｄ）を有する面材（窓付き面材４２），光透過部を有しない面材（目隠し面材４１）等の複数の種類によって構成されていることが好ましい。光透過部の有無といった異なる種類の面材のうち使用する数や種類、さらにはその配置を変更することで、幅寸法のみならず、建物構造体のデザインのバリエーションをさらに増加させることができるからである。
【００１７】
さらに、以上の建物構造体を、玄関ドアユニットと、その玄関ドアユニットに隣接して
設けられる袖ユニットとに共通して適用した玄関構造（玄関構造１１）とすれば、当該玄関構造の製作コストの高騰を招くことなくバリエーションに富んだものとすることができるばかりか、玄関ドアユニットと袖ユニットとを含む玄関構造の統一感を高めることができる。さらにまた、これらの建物構造体や玄関構造を建物に設けることで建物の製作コストの高騰を招くことなくバリエーションに富んだものとすることにも寄与することができる。
【発明を実施するための最良の形態】
【００１８】
以下に、発明を具体化した一実施の形態について図面を参照しつつ説明する。なお、図１はドアユニット上部の分解斜視図、図２はドアユニット及び袖ユニットを構成する面材類を個別に示す平面図、図３は玄関構造を示す正面図である。
【００１９】
本実施の形態における建物が有する玄関構造１１は、図３に示すように、中央に片開きかつ大型のドアユニット１２が配置されるとともにその両側に大型の袖ユニット１３，１４がそれぞれ配置されてなる両袖片開き構造である。これらドアユニット１２及び両袖ユニット１３，１４は、上枠２１、下枠２２、それら両側の縦枠２３，２３を矩形状に枠組みした区画枠体２４内に設けられている。区画枠体２４は、建物の外壁に形成された開口部に沿って配置され、同開口部に対応する外壁内周面に固定されている。また、区画枠体２４内において、ドアユニット１２及び両袖ユニット１３，１４は、前記上下両枠２１，２２間に延びる中間縦枠２５，２６によってそれぞれ仕切られている。
【００２０】
まず、ドアユニット１２の構成について、図１，２を中心に、また図３も参照しつつ説明する。ドアユニット１２は、面材上枠３１、面材下枠３２、面材縦枠としての面材右枠３３及び同じく面材縦枠としての面材左枠３４を矩形状に枠組みした面材枠体３５を有している。これらはいずれもアルミ素材よりなり、押し出し成形によって形成されている。
【００２１】
面材上枠３１は、下方に開口した溝形枠として形成されている。面材上枠３１の長手方向における両端開口部３１ａ，３１ａは、エンドキャップ３６，３６によってそれぞれ閉塞されることで仕上げられている。なお、面材下枠３２についても上下が逆である点を除き面材上枠３１と同一の構成である。
【００２２】
面材右枠３３は、縦方向に同一形状で延設されている。面材右枠３３は、縦長かつ前後の厚さ寸法が左右の幅寸法よりも短い直方体に形成された面構成部３３ａを備えている。面構成部３３ａは縦方向にみて中空に形成されている。面構成部３３ａには、その左側面から左方へ突出された突条部３３ｂが一体形成されている。突条部３３ｂは中実であり平面視長方形状に形成されている。
【００２３】
面材左枠３４は、面材右枠３３と同様に、縦長かつ前後の厚さ寸法が左右の幅寸法よりも短い直方体に形成された面構成部３４ａを備えている。面構成部３４ａには、その右側面に溝部３４ｂが一体形成されている。溝部３４ｂの前後は中実であり、また溝部３４ｂは平面視長方形状に形成されている。
【００２４】
面材縦枠である面材右枠３３や面材左枠３４に対する面材上枠３１及び面材下枠３２の固定は、図示しないビス止め等によって行われている。この場合、突条部３３ｂ上端位置等の中実位置にビス止め箇所を位置合わせしておけば、強固に固定することができる。なお、面材右枠３３及面材左枠３４の面構成部３３ａ，３４ａは同一サイズとなっている。
【００２５】
これらにより形成された面材枠体３５の内周部には、複数の面材４１，４２が収められている。本実施の形態では、面材として、目隠し面材４１と、窓付き面材４２とが設けられている。これらも面材枠体３５と同様、いずれもアルミ素材よりなり、押し出し成形に
よって形成されている。
【００２６】
目隠し面材４１は、上下方向に同一形状で延設されている。目隠し面材４１は、縦長かつ前後の厚さ寸法が左右の幅寸法よりも短い直方体に形成された面構成部４１ａを備えている。面構成部４１ａは縦方向にみて中空に形成されている。面構成部４１ａには、その左側面から左方へ突出された突条部４１ｂが一体形成されている。突条部４１ｂは中実であり平面視長方形状に形成されている。一方、面構成部４１ａの右側面には溝部４１ｃが一体形成されている。溝部４１ｃの前後は中実であり、また溝部４１ｃは平面視長方形状に形成されている。
【００２７】
窓付き面材４２は、右支持部４２ａ及び左支持部４２ｂを有している。これら両支持部４２ａ，４２ｂは、上下両端部に配置された懸架部４２ｃ，４２ｃに連結されている。したがって、窓付き面材４２は全体として縦長枠状に形成されている。そして、これら左右両支持部４２ａ，４２ｂ及び上下両懸架部４２ｃ，４２ｃによって形成された矩形枠に対してその内周部にガラス板４２ｄが支持されている。右支持部４２ａには、その右側面に溝部４２ｅが一体形成されている。溝部４２ｅの前後は中実であり、また溝部４２ｅは平面視長方形状に形成されている。左支持部４２ｂには、その左側面から左方へ突出された突条部４２ｆが一体形成されている。突条部４２ｆは中実であり平面視長方形状に形成されている。
【００２８】
なお、目隠し面材４１及び窓付き面材４２は、互いに同一サイズとなっており、また面材右枠３３及面材左枠３４の面構成部３３ａ，３４ａと比較して高さ寸法及び厚さ寸法が同一となっている。
【００２９】
そして、面材右枠３３の突条部３３ｂが目隠し面材４１の溝部４１ｃに挿入されることにより、面材右枠３３と目隠し面材４１とが接合されている。他も同様の態様にて接合されており、これにより、図１，２に示すように、面材右枠３３と面材左枠３４との間に、２枚の目隠し面材４１，４１が配設され、さらにその間に２枚の窓付き面材４２，４２が配設されている。これらの接合状態を維持するようにして、前記面材上枠３１と面材下枠３２とがそれぞれ前記面材右枠３３及び面材左枠３４に連結されることにより、ドアユニット１２が構成されている。
【００３０】
さて、実際の玄関構造１１の一例について、図３に基づいて説明すると、上記のとおり、ドアユニット１２は、面材右枠３３と面材左枠３４との間に２枚の目隠し面材４１，４１と２枚の窓付き面材４２，４２とが配設されて構成されている。また、袖窓についてもドアユニット１２と同一の構成部材を複数用いて構成されている。すなわち、袖ユニット１３，１４は、面材右枠３３と面材左枠３４との間に、２枚の窓付き面材４２，４２が配設されて構成されている。そして、ドアユニット１２及び両側の袖ユニット１３，１４の全体が区画枠体２４内に設けられており、この区画枠体２４内においてドアユニット１２及び両袖ユニット１３，１４は、前記上下枠２１，２２間に延びる中間縦枠２５，２６によってそれぞれ仕切られている。
【００３１】
なお、ドアユニット１２には、面材右枠３３の右側面とそれに隣接する中間縦枠２５とに、ドアユニット１２を開閉自在に連結する開閉支持部材としての複数のヒンジ５１が上下に所定間隔をおいて取り付けられている。また、ドアユニット１２の面材左枠３４にはその内部空間に収まるように施錠装置５２が取り付けられており、かつ前面には例えば施解錠操作部としてのキーシリンダ５３及び把持部としてのバーハンドル５４が設けられている。そして、周知のように、キーシリンダ５３を介してキー操作がなされると、施錠装置５２内のリンク機構を介して施錠片としてのデッドボルト５５が中間縦枠２６の側面に形成されたボルト孔に出没される。これにより、ドアユニット１２の施解錠がなされる。
【００３２】
ここで、本実施の形態では、建物の基準寸法単位である建築モジュールを１ｍ（＝１０００ｍｍ）としたメータモジュール設計とされ、ドアユニット１２や袖ユニット１３，１４もメータモジュールに適合した幅寸法となっている。ここで、各部の幅寸法について説明すると、目隠し面材４１や窓付き面材４２などの面材は、幅寸法がそれぞれ１０００／４ｍｍである２５０ｍｍで統一されている。方立である縦枠２３及び中間縦枠２５，２６は、幅寸法がそれぞれ５０ｍｍで統一されている。面材縦枠である面材右枠３３及び面材左枠３４は、幅寸法がそれぞれ（（１０００／４）−（５０／２））である２２５ｍｍで統一されている。
【００３３】
これにより、目隠し面材４１や窓付き面材４２などの面材は幅寸法が、建築モジュールの１／４寸法とされている。また、面材縦枠である面材右枠３３及び面材左枠３４は幅寸法が建築モジュールの１／４寸法から方立である縦枠２３及び中間縦枠２５，２６の幅寸法の１／２を減算したものとされる。面材縦枠である面材右枠３３及び面材左枠３４の一方には必ず縦枠２３や中間縦枠２５，２６などの方立が配置されることから、縦枠２３や中間縦枠２５，２６の１／２寸法分だけ、目隠し面材４１や窓付き面材４２などの面材よりも幅寸法を小さくしているのである。
【００３４】
その結果、図３の例で説明すると、３５００ｍｍという広幅の玄関開口部に対して、１４５０ｍｍの幅寸法をもった大型のドアユニット１２が設置され、その両側に９５０ｍｍの幅寸法をもった一対の大型の袖ユニット１３，１４が形成されていることになる。
【００３５】
以上の構成により、以下に示す有利な効果が得られる。
【００３６】
ドアユニット１２については、面材右枠３３と面材左枠３４との間に目隠し面材４１や窓付き面材４２などの面材を適宜枚数使用することにより幅寸法が決定付けられる。その結果、施主の好みに適合した幅寸法のドアユニット１２を提供することができる。また、面材右枠３３や面材左枠３４も目隠し面材４１や窓付き面材４２などとともにドアユニット１２の表裏面を形成することになり、美観が向上する。
【００３７】
目隠し面材４１や窓付き面材４２などの面材は、枚数の他、配置も自由に選択することができる。その結果、全てを窓付き面材４２で構成して採光性能を高め、又は中央に目隠し面材４１を配置し両側に目隠し面材４２を配置するなど、施主の趣向に合わせたドアユニット１２を提供することができる。
【００３８】
目隠し面材４１や窓付き面材４２などの面材は、全て同一高さ寸法、同一幅寸法及び同一厚さ寸法に形成されるため、簡単な設計変更により多数のバリエーションのドアユニット１２を提供することができる。また、ドアユニット１２を構成する面材及び枠体の全てがアルミ素材の押し出し成形によって得られることから、その製造コストも低減することができる。
【００３９】
目隠し面材４１や窓付き面材４２などの面材を建築モジュールの１／４寸法とし、面材右枠３３や面材左枠３４を建築モジュールの１／４寸法を基本としつつ隣接する方立寸法を考慮して一定幅を削減した幅寸法とした。これにより、建築モジュールに適合させつつ幅寸法にバリエーションをもたせることができる。
【００４０】
目隠し面材４１や窓付き面材４２などの面材同士の接合や、それらと面材右枠３３や面材左枠３４との接合について、突条部３３ｂ，４１ｂ，４２ｆを直方体形状とし、溝部３４ｂ，４１ｃ，４２ｅをそれに合わせた形状とした。これにより、ドアユニット１２の面と垂直方向にかかる押圧力に対して、突条部３３ｂ，４１ｂ，４２ｆの側面と溝部３４ｂ
，４１ｃ，４２ｅの内側面との接合面が垂直方向となる。その結果、ドアユニット１２が幅方向に分断された形となっているにもかかわらず、ドア面と垂直方向にかかる押圧力に対する剛性を十分維持することが可能となる。
【００４１】
面材左枠３４には施錠装置５２を内蔵させた。これにより、面材左枠３４内で施錠装置５２を自己完結的に保有することができ、これに隣接する目隠し面材４１や窓付き面材４２などの面材については施錠装置５２を考慮した設計をしなくて済む。その結果、異なるドアユニット１２間での目隠し面材４１や窓付き面材４２などの面材の共有化を一層図ることができる。
【００４２】
以上のドアユニット１２の他、必要に応じて袖ユニット１３，１４が設定されるが、この場合、ドアユニット１２と同一の目隠し面材４１，窓付き面材４２などの面材や、面材右枠３３，面材左枠３４などの面材縦枠をそのまま使用して構築することができる。これにより、ドアユニット１２のみならず、袖ユニット１３，１４を含めた玄関構造１１全体に目隠し面材４１や窓付き面材４２などの面材その他を適用することができる。すなわち、背景技術として説明した図５に示される各種バリエーションは以上説明した目隠し面材４１、窓付き面材４２、さらには面材右枠３３や面材左枠３４で全て賄うことができる。その結果、同一面材４１，４２や同一面材縦枠３３，３４の大量生産が可能となり、ドアユニット１２や袖ユニット１３，１４の大量生産が可能となり、多様な幅寸法バリエーションや組み合わせバリエーションを低コストにて提供することができる。また、ドアユニット１２と袖ユニット１３，１４とを含む玄関構造１１の統一感を高めることができる。
【００４３】
なお、以上説明した実施の形態に限らず、例えば以下に別例として示した形態で実施することもできる。
【００４４】
・面材縦枠である面材右枠３３及び面材左枠３４の幅寸法を、目隠し面材４１や窓付き面材４２などの面材と同一幅寸法（例えば建築モジュールの１／４の幅寸法）として形成してもよい。このように構成することで、面材縦枠と面材とがいずれも同一幅寸法となり美観上好ましい。
【００４５】
・建築モジュールの１／４の幅寸法を基本として面材等を製作する例を示したが、建築モジュールの１／Ｎの幅寸法であればよく、例えば１／５とすれば１の面材の幅寸法は２００ｍｍとして設定される。但し、一般に建物は建築モジュールをメータモジュールか尺モジュールとしていることが多いため、例えばこの１／１０の幅寸法を面材等に与えると余りにも細分化し過ぎることになり、特に窓付き面材４２の構築が困難になったりドアユニット１２としての強度が低下するおそれがある。したがって、面材の幅寸法は２００ｍｍ以上が好ましい。
【００４６】
・建築モジュールの１／４の幅寸法を基本として面材を全て同一幅で製作する場合について例示したが、所定の面材については建築モジュールの１／４の幅寸法とし、他の面材については建築モジュールの１／２の幅寸法とするなど、幅寸法を所定の面材に対して他の面材が複数倍となるような設定として製作してもよい。この場合には、上記実施の形態で説明したものほどのバリエーションは得られないにしても、面材同士の組み合わせ自由度がある程度確保されるし、幅寸法のバリエーションは十分得られる。
【００４７】
・面材同士の接合構造は、突条部３３ｂ，４１ｂ，４２ｆと溝部３４ｂ，４１ｃ，４２ｅとで構成するものの他、図４（ａ）に示すように、面材の各端部にそれぞれ溝部６１，６２を形成し、それら溝部６１，６２に雇い実の如き中間材６３を挿入する接合構造としてもよい。この場合、面材は左右両側面に同一形状の溝部６１，６２を形成すればよくなり、前後方向も左右方向も対称形状となるので、場合によってはドアの前後の方向性を問
わないこととなる。また、突条部３３ｂ，４１ｂ，４２ｆが同一幅でなくてもよく、例えば図４（ｂ）に示すように、先端ほど幅広に形成された突条部６５とこれに嵌まり合うように底面側ほど幅広に形成された溝部６６とからなる接合構造としてもよい。この場合、面材は幅方向に接合することができないものの、縦方向にスライドさせて接合することができる。さらに、突条部３３ｂ，４１ｂ，４２ｆと溝部３４ｂ，４１ｃ，４２ｅとが完全に一致する形状でなくてもよく、例えば、突条部３３ｂ，４１ｂ，４２ｆのみ突出端が面取りされ、又は細く形成されているものでもよく、これらの場合には、面材同士の接合時に溝部３４ｂ，４１ｃ，４２ｅに突条部３３ｂ，４１ｂ，４２ｆを嵌め込み易いという製作上の利点がある。
【００４８】
・面材同士を幅方向に連結していく構成であるため、接合構造にもよるが、場合によってはドアユニット１２の前後方向にかかる力に対して若干剛性が低下してしまう可能性がある。この低下分を補償すべく、図４（ａ）に示すように、ドアユニット１２等の室内側に幅方向全域にわたるようにして補強材６８を固定してもよい。これにより、特に建物外部からかかるドア面と垂直方向にかかる力に対する耐力が増加する。なお、補強材６８は１のみならず、上下に離間した位置に複数設けてもよい。さらに、室内側に補強材６８が露出することによる美観の低下を防止することを重視すれば、ドアユニット１２等のユニットを構成する各面材内に貫通させるようにして設けることも可能である。
【００４９】
・面材間の防水対策としては、突条部３３ｂ，４１ｂ，４２ｆと溝部３４ｂ，４１ｃ，４２ｅとを縦方向全域に設けることでも十分であると考えられるが、一層の防水対策を考慮した場合、図４（ｃ）に示すように、溝部７１内にシール、例えばリップシール７２を配置し、このリップを突条部７３の先端面と溝部７１の底面との間で若干押し潰すようにしてもよい。この場合、リップ先端は若干建物外部側に指向される。これにより、万一面材間から雨水が浸入することがあってもリップシール７２で受け止めることができ、雨水が玄関内部に浸入することがない。また、このようにリップシール７２を介在させることで、突条部７３の突出量と溝部７１の深さ量との製作誤差を吸収することができる利点も生じる。勿論、製作誤差の吸収という観点からは、リップシール７２を設けない上記実施の形態のような場合であっても、突条部７３の突出量よりも溝部７１の深さを大きくするように形成することが好ましい。さらにまた、面材間の建物外部側に両者の境界部を塞ぐ境界閉塞部７４を設けてもよい。この境界閉塞部７４は隣接する面材の一方に設け、他方に重ね合せるようにすればよい。そして、この重ね合せ部分にシールを介在させることが一層好ましい。この境界閉塞部７４は雨水の浸入効果の他、面材間の隙間による外観低下を防止する効果もある。なお、リップシール７２と境界閉塞部７４とを両者とも設けることは好ましいが、いずれか一方のみでもよい。
【００５０】
・ドアユニット１２や袖ユニット１３，１４を構成する各面材としては、上記実施の形態で例示したものの他、さらなるバリエーションを用意しておくことが一層好ましい。例えば、図４（ｄ）に示した固定された開放不能な小窓８１を上下に複数配置した小窓付き面材８２のように、採光用の窓について窓数や窓形状を変化させたものが更なるバリエーションの一例として挙げられる。その他、前後に開口する開口部を有し、当該開口部に換気構造や網戸などを内蔵した面材も好適な例として挙げられる。このように各種のバリエーションを用意しておいても、面材を適宜組み合わせて使用するものであるからそれぞれの面材は全て１サイズだけでよく、在庫を所定数かかえていても維持管理できるし、１つの面材のサイズ自体が幅狭となることから在庫量に対するコスト負担も抑えることができる利点がある。
【００５１】
・面材同士の接合構造として、上記実施の形態及び最初に示した別例では、面材や面材縦枠の縦方向全域に突条部３３ｂ，４１ｂ，４２ｆと溝部３４ｂ，４１ｃ，４２ｅを形成することを前提として説明した。これにより、既述のとおり押し出し成形が適用できて製
造が容易になる利点があるからである。但し、これ以外にも、図４（ｅ）に示すように、凸部８５と凹部８６とを複数設けた接合構造であっても勿論よい。この場合、一旦接合された面材同士が上下にずれる力に対しても抑止効果があり、ドアユニット１２等のユニットとしての強度向上に寄与する。なお、この場合も、面材の一側に凸部８５、他側に凹部８６を配列したが、例えば面材の一側に上から順に凸部８５、凹部８６、…と交互に並べ、他側に上から順に凹部８６、凸部８５、…と交互に並べて構成することもできる。
【００５２】
・以上の説明では、ドアユニット１２及び袖ユニット１３，１４を有する玄関構造１１について説明したが、引き戸を有する玄関構造における引き戸ユニットに応用することもできる。また、玄関構造のみならず、勝手口などのドア構造や掃き出し窓などの窓構造にも適用することができる。さらには、建物の内外空間を仕切るものの他、建物内部に設けられるドア，戸，障子などのような空間を前後で仕切る屋内建具についても適用することができる。すなわち、建築モジュールによって幅寸法の制約を受け得る建物構造体であれば同様に適用することができるものである。
【図面の簡単な説明】
【００５３】
【図１】本実施の形態におけるドアユニット上部の分解斜視図。
【図２】ドアユニット及び袖ユニットの面材等を個別に示す平面図。
【図３】玄関構造の正面図。
【図４】別例を示し、（ａ）〜（ｃ）は部分平面図、（ｄ），（ｅ）は部分正面図。
【図５】従来の玄関構造のバリエーションを個別に示す正面図。
【符号の説明】
【００５４】
１１…玄関構造、１２…建物構造体の一例であるドアユニット、１３，１４…建物構造体の一例である袖ユニット、３１…面材上枠、３２…面材下枠、３３…面材右枠、３４…面材左枠、３５…面材枠としての面材枠体、４１…面材の一例である目隠し面材、４２…面材の一例である窓付き面材、３３ａ，３４ａ，４１ａ…面構成部、３３ｂ，４１ｂ，４２ｆ…係合手段を構成する突条部、３４ｂ，４１ｃ，４２ｅ…係合手段を構成する溝部、４２ｄ…光透過部としてのガラス板。
【図１】
2007154609.tif 000003
【図２】
2007154609.tif 000004
【図３】
2007154609.tif 000005
【図４】
2007154609.tif 000006
【図５】
2007154609.tif 000007